(57)【要約】      （修正有）【課題】内釜が遠赤外線が放射される材質により形成されることから、遠赤外線が調理物に直接的に伝導、対流、輻射の方法により均一に伝達される電気炊飯器を提供する。【解決手段】電気炊飯器は、内部空間２２を有し、加熱手段が内蔵された本体２０と、本体２０の内部空間２２に配設されて加熱手段により加熱されて遠赤外線を放射するための内釜３０と、本体２０の上側に蝶着されて本体２０を開閉する蓋体４０と、を備えるが、内釜３０の材質は、水晶であることを特徴とする。【選択図】図３
0003205422.tif 000002
【実用新案登録請求の範囲】
【請求項１】
内部空間を有し、加熱手段が内蔵された本体と、前記本体の内部空間に配設されて前記加熱手段により加熱されて遠赤外線を放射するための内釜と、前記本体の上側に蝶着されて前記本体を開閉する蓋体と、を備えることを特徴とする電気炊飯器。
【請求項２】
前記内釜の材質は、水晶であることを特徴とする請求項１に記載の電気炊飯器。
【考案の詳細な説明】
【技術分野】
【０００１】
本考案は、電気炊飯器に係り、更に詳しくは、内釜を水晶製にして水晶から放出される遠赤外線の放射による共鳴、共振作用により調理物が内部から煮えて組織感が増大して風味がよく、抗菌、防虫作用により鮮度を長時間維持する電気炊飯器に関する。
【背景技術】
【０００２】
通常の電気炊飯器用鍋などの家庭用及び業務用鍋は、加熱板がセラミックによりコーティングされているため主として熱が伝導現象によってしか伝達されず、加熱板と鍋とが完全に接触されないため熱伝達速度が遅く、遠赤外線の放射効果があまり高くないという問題がある。
【０００３】
図１は、従来の電気炊飯器の部分縦断面図であり、図２は、図１の部分拡大断面図である。同図に示すように、従来の電気炊飯器は、本体１の内部に鍋ケース２が結合され、鍋ケース２の内部の下側には加熱板３が固定され、その上に鍋４が着脱自在に結合されている。なお、前記加熱板３は、母材３ａにセラミックコーティング層３ｂが形成されるような構成になっている。
【０００４】
このように、従来の電気炊飯器は、加熱板３の表面にセラミックをコーティングして熱伝導だけで鍋４の内部に遠赤外線の放射効果を与えなければならないため、効率が低いという問題があり、加熱板３が熱源となるため輻射及び対流による効果が全くないという問題がある。また、根本的に加熱板３と鍋４とが完全に接触される構造ではないため、熱伝達速度が遅く、未接触部は伝導が起こらないという構造的な問題がある。
【考案の概要】
【考案が解決しようとする課題】
【０００５】
そこで、本考案は、このような従来の問題を改善するために提案されたものであり、その目的は、内釜を水晶製にして水晶から放出される遠赤外線の放射による共鳴、共振作用により調理物が内部から煮えて組織感が増大して風味がよく、抗菌、防虫作用により鮮度を長時間維持する新規な電気炊飯器を提供することにある。
【０００６】
特に、本考案の目的は、内釜が遠赤外線が放射される材質により形成されることから、遠赤外線が調理物に直接的に伝導、対流、輻射の方法により均一に伝達されて脱臭、浄化の効果がある新規な電気炊飯器を提供することにある。
【課題を解決するための手段】
【０００７】
上述した目的を達成するためになされた本考案による電気炊飯器は、内部空間を有し、加熱手段が内蔵された本体と、前記本体の内部空間に配設されて前記加熱手段により加熱されて遠赤外線を放射するための内釜と、前記本体の上側に蝶着されて前記本体を開閉する蓋体と、を備えることを特徴とする。
また、本考案による電気炊飯器において、前記内釜の材質は、水晶であることが好ましい。
【考案の効果】
【０００８】
による電気炊飯器によれば、内釜を水晶製にして水晶から放出される遠赤外線の放射による共鳴、共振作用により調理物が内部から煮えて組織感が増大して風味がよく、抗菌、防虫作用により鮮度を長時間維持するという効果がある。
【０００９】
特に、内釜が遠赤外線が放射される材質により形成されることから、遠赤外線が調理物に直接的に伝導、対流、輻射の方法により均一に伝達されて脱臭、浄化の効果がある。
【図面の簡単な説明】
【００１０】
【図１】図１は、従来の技術を説明するための図である。
【図２】図２は、従来の技術を説明するための図である。
【図３】図３は、本考案の好適な実施形態による電気炊飯器の斜視図である。
【図４】図４は、本考案の好適な実施形態による電気炊飯器の内釜を構成する水晶結晶体を示す写真である。
【考案を実施するための形態】
【００１１】
以下、添付図面の図３及び図４に基づき、本考案の好適な実施形態について詳細に説明するが、図３及び図４において、同じ機能を行う構成要素に対しては同じ参照符号を付す。一方、図面への図示及び詳細な説明の欄において、本考案の技術的特徴と直接的な関連性のない要素の具体的な技術的構成及び作用に関する詳細な説明及び図示は省略し、本考案と関連する技術的構成のみを簡略に図示又は説明する。
【００１２】
図３及び図４を参照すると、本考案の好適な実施形態による電気炊飯器１０は、内部空間２２を有し、加熱手段が内蔵された本体２０と、前記本体２０の内部空間２２に配設されて前記加熱手段により加熱されて遠赤外線を放射するための内釜３０と、前記本体２０の上側に蝶着されて前記本体２０を開閉する蓋体４０と、を備える。
【００１３】
本体２０は、内部空間２２を有し、内部空間２２の下側に加熱手段（図示せず）が内蔵され、外部の一方の側に操作ボタンが形成され、外部の背面に電源を供給するための電源部が接続される。このとき、加熱手段、操作ボタン及び電源部は、通常の電気炊飯器の内部に内蔵される構成と同様であり、それにより得られる効果も同様であるため、その詳細な説明を省略する。
【００１４】
内釜３０は、本体２０の内部空間２２に配設されて本体２０に内蔵された加熱手段から熱を伝達されて加熱されて内部に収容される中身を調理するものであり、加熱手段により加熱されると、遠赤外線を放出しながら中身を調理する。
このような内釜３０は、材質が水晶であるため、本体２０に内蔵された加熱手段から熱を伝達されて加熱されて内部に収容された中身に遠赤外線を放射する。
【００１５】
このように、内釜３０を水晶製にして水晶から放出される遠赤外線の放射による共鳴、共振作用により調理物が内部から煮えて組織感が増大して風味がよく、抗菌、防虫作用により鮮度を長時間維持するという効果がある。
【００１６】
上述したように、本考案による電気炊飯器の内釜によれば、内釜が遠赤外線が放射される材質により形成されることから、遠赤外線が調理物に直接的に伝導、対流、輻射の方法により均一に伝達されて脱臭、浄化の効果がある。
【００１７】
蓋体４０は、本体２０の上側の一方の側に蝶合されて本体２０を開閉するためのものであり、本体２０の上側を覆うように形成され、上側にユーザーが把持可能に把持部（図示せず）が形成される。
【００１８】
一方、本考案の好適な実施形態による電気炊飯器１０における本体２０及び蓋体４０は、通常の電気炊飯器の構成と同様であり、それによる作用及び効果も同様であるため、詳細な説明は省略し、内釜を中心として説明した。
【００１９】
上述したように、本考案の好適な実施形態による電気炊飯器について説明しかつ図示したが、これは単なる例示に過ぎず、この分野における通常の技術者であれば、本考案の技術的思想を逸脱しない範囲内において種々の変形及び変更が可能であるということが理解できる筈である。
【００２０】
本考案は、内部空間を有し、加熱手段が内蔵された本体と、前記本体の内部空間に配設されて前記加熱手段により加熱されて遠赤外線を放射するための内釜と、前記本体の上側に蝶着されて前記本体を開閉する蓋体と、を備えることを特徴とする電気炊飯器を発明の実施のための形態とする。
このとき、前記電気炊飯器において、前記内釜の材質は、水晶であることが好ましい。
【産業上の利用可能性】
【００２１】
本考案は、内釜を水晶製にして水晶から放出される遠赤外線の放射による共鳴、共振作用により調理物が内部から煮えて組織感が増大して風味がよく、抗菌、防虫作用により鮮度を長時間維持するという効果があり、特に、内釜が遠赤外線が放射される材質により形成されることから、遠赤外線が調理物に直接的に伝導、対流、輻射の方法により均一に伝達されて脱臭、浄化の効果があるため、産業上の利用可能性が高いことが期待される。
【図１】
0003205422.tif 000003
【図２】
0003205422.tif 000004
【図３】
0003205422.tif 000005
【図４】
0003205422.tif 000006